(57)【要約】【課題】集塵装置に関しゴミ捨ての容易さを確保したまま、安価かつ組立性を向上する。【解決手段】塵埃を捕集する集塵ケース８に回動自在に設けられ粗塵を捕集する上流フィルター９と、集塵ケース８に回動自在に設けられ上流フィルター９を通過した細塵を捕集する下流フィルターと、下流及び上流フィルターを集塵ケース８に保持する尾錠および係止部と、下流及び上流フィルターの回動軸と、集塵ケース８上方に設けられ、尾錠および係止部による保持を共に解除する操作部１２ｂとを備え、集塵ケース８の開口部を開放する方向に上流フィルター９を回動させる当接部１２ｃを操作部１２ｂに形成すると共に、当接部１２ｃと当接する被当接部９ｈを上流フィルター９のヒンジ部に形成し、操作部１２ｂを操作した際に、上流フィルター９を回動軸を中心に回動させる構成としたもので、ゴミ捨ての容易さは確保したまま、部品点数を削減でき、安価かつ組立性を向上できる。【選択図】図６
2010035788.tif 000002
【特許請求の範囲】
【請求項１】
前部に吸入口を有し塵埃を捕集する集塵ケースと、前記集塵ケースの開口部に回動自在に設けられ粗塵を捕集する上流フィルターと、同じく前記集塵ケースの開口部で前記上流フィルターの下流側に回動自在に設けられ前記上流フィルターを通過した細塵を捕集する下流フィルターと、前記下流フィルターを前記集塵ケースの開口部で前記上流フィルターの下流側に保持する尾錠と、前記上流フィルターを前記集塵ケースの開口部に保持する係止部と、前記上流フィルターおよび下流フィルターの回動軸と、前記集塵ケース上方に設けられ、前記尾錠による下流フィルターの保持および係止部による上流フィルターの保持を共に解除する操作部とを備え、前記上流フィルターを前記集塵ケースの開口部を開放する方向に回動させる当接部を、前記操作部に形成すると共に、前記当接部と当接する被当接部を、前記上流フィルターのヒンジ部に形成し、前記操作部を操作した際に、前記当接部と被当接部とが当接し、前記集塵ケースの開口部を開放する方向に、前記上流フィルターを、前記回動軸を中心に回動させる構成とした集塵装置。
【請求項２】
操作部の操作により、上流フィルターおよび下流フィルターそれぞれの集塵ケースとの保持状態が共に解除された後、当接部と被当接部が当接する構成とした請求項１に記載の集塵装置。
【請求項３】
請求項１または２に記載の集塵装置を備えた電気掃除機。
【発明の詳細な説明】
【技術分野】
【０００１】
本発明は、電気掃除機本体に装着される集塵装置及びその集塵装置を備えた電気掃除機に関するものである。
【背景技術】
【０００２】
従来の電気掃除機の集塵方法として、使い捨ての紙パックを利用するものと、再利用可能な集塵装置を利用するものがあるが、近年、経済的な集塵装置を利用した電気掃除機が増えている。簡単な構造の集塵装置として、ゴミをためる集塵ケースに、細塵を捕集するフィルターを有する蓋体が回動自在に取着されて、集塵ケースの蓋となる構造の集塵装置がある。その集塵装置は、蓋体の閉状態を解除する為の操作部及び押しレバーと、持ち運び用の把手部、蓋体の回動軸を集塵ケース上方に配置している（例えば、特許文献１参照）。
【特許文献１】特開２００４−８２９５号公報
【発明の開示】
【発明が解決しようとする課題】
【０００３】
しかしながら、上記のような電気掃除機の構成では、ゴミ捨て時、蓋体の閉状態を解除して蓋体を開状態にする為には、操作部の操作から始まり、押しレバーを介して蓋体バネの弾性を利用する必要があり、部品点数が多くなっていた。その為、構成が複雑になり組み立てにくい、又、金型費や材料費が高くなってしまうなどの課題があった。
【０００４】
本発明は上記課題を解決するもので、ゴミ捨てのし易さは確保したままで、蓋体バネの弾性は利用せず、部品点数を削減でき、安価かつ組立性を向上させることができる集塵装置及びその集塵装置を備えた電気掃除機を提供することを目的とする。
【課題を解決するための手段】
【０００５】
上記従来の課題を解決するために本発明は、前部に吸入口を有し塵埃を捕集する集塵ケースと、前記集塵ケースの開口部に回動自在に設けられ粗塵を捕集する上流フィルターと、同じく前記集塵ケースの開口部で前記上流フィルターの下流側に回動自在に設けられ前記上流フィルターを通過した細塵を捕集する下流フィルターと、前記下流フィルターを前記集塵ケースの開口部で前記上流フィルターの下流側に保持する尾錠と、前記上流フィルターを前記集塵ケースの開口部に保持する係止部と、前記上流フィルターおよび下流フィルターの回動軸と、前記集塵ケース上方に設けられ、前記尾錠による下流フィルターの保持および係止部による上流フィルターの保持を共に解除する操作部とを備え、前記上流フィルターを前記集塵ケースの開口部を開放する方向に回動させる当接部を、前記操作部に形成すると共に、前記当接部と当接する被当接部を、前記上流フィルターのヒンジ部に形成し、前記操作部を操作した際に、前記当接部と被当接部とが当接し、前記集塵ケースの開口部を開放する方向に、前記上流フィルターを、前記回動軸を中心に回動させる集塵装置としたもので、ゴミ捨て時には操作部の動作と同じ動作で当接部が動作し、上流フィルターを開方向に動作させることができ、組立時には操作部と当接部を形成した操作部品を組み込むだけの為、ゴミ捨てのし易さは確保したままで、蓋体バネの弾性は利用せず、部品点数を削減でき、安価かつ組立性を向上させることができる集塵装置及びその集塵装置を備えた電気掃除機を提供するものである。
【発明の効果】
【０００６】
本発明によれば、ゴミ捨てのし易さは確保したままで、部品点数を削減でき、安価かつ組立性を向上させることができる集塵装置及びその集塵装置を備えた電気掃除機を提供することができる。
【発明を実施するための最良の形態】
【０００７】
第１の発明は、前部に吸入口を有し塵埃を捕集する集塵ケースと、前記集塵ケースの開口部に回動自在に設けられ粗塵を捕集する上流フィルターと、同じく前記集塵ケースの開口部で前記上流フィルターの下流側に回動自在に設けられ前記上流フィルターを通過した細塵を捕集する下流フィルターと、前記下流フィルターを前記集塵ケースの開口部で前記上流フィルターの下流側に保持する尾錠と、前記上流フィルターを前記集塵ケースの開口部に保持する係止部と、前記上流フィルターおよび下流フィルターの回動軸と、前記集塵ケース上方に設けられ、前記尾錠による下流フィルターの保持および係止部による上流フィルターの保持を共に解除する操作部とを備え、前記上流フィルターを前記集塵ケースの開口部を開放する方向に回動させる当接部を、前記操作部に形成すると共に、前記当接部と当接する被当接部を、前記上流フィルターのヒンジ部に形成し、前記操作部を操作した際に、前記当接部と被当接部とが当接し、前記集塵ケースの開口部を開放する方向に、前記上流フィルターを、前記回動軸を中心に回動させる集塵装置としたもので、ゴミ捨て時には操作部の動作と同じ動作で当接部が動作し、上流フィルターを開方向に動作させることができ、組立時には操作部と当接部を形成した操作部品を組み込むだけの為、ゴミ捨てのし易さは確保したままで、部品点数を削減でき、安価かつ組立性を向上させることができる。
【０００８】
第２の発明は、第１の発明の操作部の操作により、上流フィルターおよび下流フィルターそれぞれの集塵ケースとの保持状態が共に解除された後、当接部と被当接部が当接する構成としたもので、上流フィルターおよび下流フィルターの集塵ケースにおける保持状態の解除動作と、当接部による上流フィルターの開動作を連続して行えるもので、スムーズに上流フィルター及び下流フィルターが開き、ゴミ捨て性を向上させることができる。
【０００９】
第３の発明は、第１または第２の発明の集塵装置を備えた電気掃除機としたもので、ゴミ捨てのし易さは確保したままで、部品点数を削減でき、安価かつ組立性を向上させることができる電気掃除機を提供することができる。
【００１０】
以下、本発明の実施の形態について、図面を参照しながら説明する。なお、この実施の形態によってこの発明が限定されるものではない。
【００１１】
（実施の形態１）
本発明の第１の実施の形態における電気掃除機について、図１〜８を用いて説明する。
【００１２】
図１は、本実施の形態における電気掃除機の全体斜視図、図２（ａ）は、同掃除機本体に収納される集塵装置の斜視図（係止部ロックの状態）、図２（ｂ）は、同掃除機本体に収納される集塵装置の斜視図（係止部解除の状態）、図３（ａ）は同掃除機本体に収納される集塵装置の蓋部を外した状態斜視図、図３（ｂ）は同掃除機本体に収納される集塵装置の操作部品部断面図、図３（ｃ）は同掃除機本体に収納される集塵装置の蓋の係止部断面図、図４は同掃除機本体に収納される集塵装置のセンター断面図（係止部ロックの状態）、図５（ａ）は同掃除機本体に収納される集塵装置の断面図（係止部解除の状態）、図５（ｂ）は集塵装置の上流フィルター上部斜視図、図６（ａ）は同掃除機本体に収納される集塵装置の操作部品斜視図、図６（ｂ）は同掃除機本体に収納される集塵装置の上流フィルター斜視図、図６（ｃ）は同掃除機本体に収納される集塵装置の上流フィルターアーム部断面図（係止部ロックの状態）、図６（ｄ）は同掃除機本体に収納される集塵装置の上流フィルターアーム部断面図（係止部解除の状態）、図７（ａ）は同掃除機本体に収納される集塵装置の上流フィルター仮固定部断面図、図７（ｂ）は前記の仮固定部断面の拡大図、図８（ａ）は同掃除機本体に収納される集塵装置のごみ捨て時の状態での斜視図、図８（ｂ）は同掃除機本体に収納される集塵装置の下流フィルターお手入れ状態の斜視図を示す。
【００１３】
本実施の形態における電気掃除機は、掃除機本体１と、掃除機本体１の前方に設けたホース接続口２０に接続されるホース２と、ホース２の先端に設けられた接続パイプ３と、接続パイプ３に接続される延長管４と、延長管４の先端に設けられ塵埃を吸引する開口部（図示せず）を有する吸込具５からなり、掃除機本体１には、塵埃を吸引するための電動送風機６、塵埃を集塵する集塵装置７が内蔵されている。
【００１４】
図２、図５に示す集塵装置７は、構成部品を大きく分けると、外郭を構成する集塵ケース８と、集塵ケース８の前部に設けられ含塵空気が吸引される吸入口８ｅと、集塵ケース８の後部の開口部８ｆを塞ぐように設けられた上流フィルター９と、その後方を塞ぐように設けられた下流フィルター１０とから構成される。上流フィルター９及び下流フィルター１０は集塵ケース８上方に設けられた２箇所のヒンジ固定部８ａに開閉（回動）可能に取り付けられている。また、図３に示すとおり、下流フィルター１０を保持する係止部１１は集塵ケース８の両側の側面部下方に配置され、下流フィルター１０の下方両側に設けた被係止部１０ａと嵌合することによって集塵ケース８に保持される。係止部１１の解除操作を行う略Ｕ字型形状の操作部品１２は吸引風の流路となる集塵部８ｂ及び上流フィルター９と下流フィルター１０の外側に構成され、操作部品１２のアーム部１２ａ及び係止部１１は集塵ケース８の両サイドに設けられ二重壁８ｃにより隔離された構成としている。集塵ケース８上方中央部には取り出し／持ち運び用のもち手８ｄを設け、近傍に、係止部１１の解除操作を行う操作部１２ｂを配置する構成となっている。操作部品１２の操作部１２ｂ以外の外観になる箇所は、集塵ケース８の外観形状に対して、係止部１１のかかり代と同等以上の段差を設け凹とする構成となっている。
【００１５】
図４に示すように上流フィルター９は、枠体９ａとその枠体９ａと一体的に成形されたネットフィルター９ｂとから構成され、粗い塵埃を捕集する為に用いられる。枠体９ａは、集塵ケース８側と下流フィルター１０側の全周に、シール手段であるシールパッキン９ｃが設けられ、上流フィルター９及び下流フィルター１０を閉じたとき、集塵ケース８及び下流フィルター１０のそれぞれと密封することができる。集塵ケース８及び下流フィルター１０のそれぞれと全周シールする箇所は集塵ケース８内に設けられており、側面部は二重壁８ｃの内側に配置されている。そして、前記の通り、集塵ケース８の両側の側面部下方に配置された係止部１１と下流フィルター１０の下方両側に設けた被係止部１０ａを嵌合させることによって、集塵装置７を密閉する構成となっている。
【００１６】
下流フィルター１０は、上流フィルター９を通過した細かい塵埃を捕集する細塵用フィルターであり、プリーツ加工（断面形状を波状に加工すること。）しており、プリーツ加工された波状の山と谷の折り目の方向はフィルター全体で上下方向に揃えてある。下流フィルター１０の後側にはジョジンレバー１３がホルダー１４と下流フィルター１０とで挟むことで保持されており、手動もしくは外部の動力源によりジョジンレバー１３は左右に動くことができ、下流フィルター１０のレール部１０ｂをはじくことで、下流フィルター１０に付着した細塵を落とす構成となっている。また下流フィルター１０の後側には、シール手段であるシールパッキン１０ｃが設けられ、集塵装置７が本体１に収納されたとき、電気掃除機内で集塵装置７を密閉する構成となっている。
【００１７】
また、本発明の集塵装置７には集塵ケース８の蓋部となる上流フィルター９及び下流フィルター１０を開放の開方向に付勢する付勢手段が設けられている。図４及び５に示すとおり、下流フィルター１０を開方向に付勢する付勢手段として、上流フィルター９上部のバネ収納部９ｄに弾性体であるバネ１５、また下流フィルター１０側にバネ１５を押さえリブ１０ｄが配置されている。前記のバネ収納部９ｄは下流フィルター１０方向側に縦方向のスリット９ｅが設けられており、蓋が閉状態では、そのスリット９ｅの内側に前記の押さえリブ１０ｄが挿入され、常にバネ１５を押さえる構造となっている。図６に示すとおり、上流フィルター９を開方向に付勢する付勢手段として、操作部１２ｂの下部に傾斜面を設けた２箇所の当接部１２ｃが、上流フィルター９の集塵ケース８上部に取着しているヒンジ部９ｆの上方かつ回動軸近傍に配置されている。前記のヒンジ部９ｆには前記の当接部１２ｃの傾斜面と略平行の傾斜面で形成した被当接部９ｈを一体的に形成している。蓋部が密閉状態（操作部を押さない状態）では、これらの当接部１２ｃの傾斜面と前記のヒンジ部９ｆ傾斜面の間は距離を設けており、前記の操作部品１２が下方に押されて、係止部１１が解除されるタイミングより後に、傾斜面同志が接触し、ヒンジ部９ｆに形成した被当接部９ｈを押さえる構成としている。さらに、本発明の集塵装置７には、下流フィルター１０開放時、上流フィルター９のみを集塵ケース８側に固定できる手段として、図６に示すとおり、操作部品１２及び上流フィルター９に爪嵌合する上流フィルター固定用係止部１２ｄ及び上流フィルター固定用被係止部９ｇが両側２箇所に設けられている。図７に示すとおり、前記の上流フィルター固定用係止部（係止部）１２ｄ及び上流フィルター固定用被係止部（係止部）９ｇ嵌合面は、傾斜面で形成されており、本発明集塵装置７の下流フィルター１０のロック（前記係止部１１及び被係止部１０ａ）が解除されるタイミングより前に解除される設定としている。
【００１８】
以上のように構成された本実施の形態における電気掃除機の動作、作用について以下に説明する。
【００１９】
図２（ｂ）に示すように本発明の集塵装置７はごみ捨て時に下側が開放する構造となっているが、そのごみ捨て時の動作を具体的に説明する。電気掃除機本体１に収納された集塵装置７はごみ捨て時に本体収納部（図示せず）から集塵ケースの持ち手部８ｄを持って取り出される。取り出された集塵装置７は持ち手部８ｄ近傍の操作部１２ｂを押す事で、操作部品１２の両サイドのアーム部１２ａを介して、両側の係止部１１を下方に摺動させる。そして係止部１１が下方に摺動し、下流フィルター１０の下方に配した被係止部１０ａとの嵌合が解除され、下流フィルター１０が集塵ケース８上方に設けられた回動軸を中心に約１１０°開く。それに付随して上流フィルター９も開き、集塵ケース８の集塵部８ｂに蓄積されたゴミを捨てられるよう開放される。これにより、ごみ捨ての操作が片手で簡単に下向き開放にて行うことができ、蓋部閉状態での保持も上部の回動軸部と側面下方２箇所でロックされ、蓋部の閉状態における保持も確実に行う事ができる。また、開放方向を下向きにする事で、下流フィルター１０の下部にたまるジョジンレバー１３によりプリーツフィルターから除塵された細塵の処理がしやすくなる上に、お手入れ時のほこりの舞い上がりを抑えることができる。次に、ごみ捨て時の上流フィルター９及び下流フィルター１０を開方向に付勢する付勢手段及び上流フィルター９の固定部の動作詳細についても説明する。取り出された集塵装置７の操作部品トータルのストロークは５ｍｍであり、約１ｍｍ押すことで、まず前記の上流フィルター９のみの固定部である上流フィルター固定用係止部１２ｄ及び上流フィルター固定用被係止部９ｇが解除される。さらに１〜１．５ｍｍ押さえることで、下流フィルター１０のロックである係止部１１と被係止部１０ａのロックが解除される。解除と同時に下流フィルター１０を開方向に付勢する付勢手段であるバネ１５により、下流フィルター１０が開方向に押し出される。また、このバネ１５は上流フィルター９と下流フィルター１０の間にあり、ごみ捨てを行う時、両フィルターが回動する間も、両フィルター間に常にすき間を設ける役割を果たし、下流フィルター１０に付着した細塵及びプリーツフィルターから除塵された細塵が落ちやすくなる。さらに操作部品１２を下方に押し下げると、図６に示すとおり、操作部１２ｂの下部に傾斜面を設けた２箇所の当接部１２ｃが上流フィルター９に形成した被当接部９ｈを押さえ、上流フィルター９を開方向に押し出す動作となっている。また、当接部１２ｃは回動軸近傍に位置し、被当接部９ｈはヒンジ部９ｆに一体的に形成している為、ゴミ捨て時、当接部１２ｃが上流フィルター９に当接した後の動作量が少なくても上流フィルター９の回動角度が大きくなり、また、ヒンジ部９ｆは従来より強度が確保されているので、耐久性を確保できると共に、たわみ等の応力分散を抑制し当接部１２ｃの動作を効率的に上流フィルター９又は下流フィルター１０に伝達することができるので、少ないストロークで確実に上流フィルター９又は下流フィルター１０を大きく開かせることができて、ゴミの廃棄を容易に行え、使用性を向上させることができる。さらに、当接部１２ｃと被当接部９ｈを複数箇所設けて���る為、当接部１２ｃ及び被当接部９ｈに加わる応力を分散できるので、強度や耐久性を向上させることができる。操作部１２ｂの操作により上流フィルター９および下流フィルター１０の閉状態が解除された後、当接部１２ｃと被当接部９ｈが当接する構成としているので、スムーズに上流フィルター９及び下流フィルター１０が開き、ゴミ捨て性を向上させることができる。また、組立時には操作部１２ｂと当接部１２ｃを一体形成した操作部品１２を組み込むだけの為、ゴミ捨てのし易さは確保したままで、部品点数を削減でき、安価かつ組立性を向上させることができる。また、ゴミ捨て時は図８（ａ）のような形態となり、上流フィルター９に配する粗い塵埃を捕集するネットフィルター９ｂのお手入れはこの状態で行う。また、下流フィルター１０の細かい塵埃を捕集するプリーツフィルター部のお手入れをする際に、上流フィルター９が下流フィルター１０の上に配したままでは、お手入れがしにくい（できない）ため、図８（ｂ）のとおり、上流フィルター９のみを集塵ケース８側に回動させ、前記上流フィルター固定用係止部１２ｄ及び上流フィルター固定用被係止部９ｇにて上流フィルター９を集塵ケース８側に固定させる。上流フィルター９は集塵ケース８側に爪勘合にて保持されることで、下流フィルター１０のお手入れがしやすくなる。
【産業上の利用可能性】
【００２０】
以上のように、本発明にかかる集塵装置は、ゴミ捨てのし易さは確保したままで、部品点数を削減でき、安価かつ組立性を向上させることができるので、着脱自在の集塵装置を有する家庭用、業務用電気掃除機に特に有用である。
【図面の簡単な説明】
【００２１】
【図１】本発明の実施の形態１における電気掃除機の全体斜視図
【図２】（ａ）同掃除機本体に収納される集塵装置の斜視図（係止部ロックの状態）（ｂ）同掃除機本体に収納される集塵装置の斜視図（係止部解除の状態）
【図３】（ａ）同掃除機本体に収納される集塵装置の蓋部を外した状態斜視図（ｂ）同掃除機本体に収納される集塵装置の操作部品部断面図（ｃ）同掃除機本体に収納される集塵装置の蓋の係止部断面図
【図４】同掃除機本体に収納される集塵装置のセンター断面図（係止部ロックの状態）
【図５】（ａ）同掃除機本体に収納される集塵装置の断面図（係止部解除の状態）（ｂ）集塵装置の上流フィルター上部斜視図
【図６】（ａ）同掃除機本体に収納される集塵装置の操作部品斜視図（ｂ）同掃除機本体に収納される集塵装置の上流フィルター斜視図（ｃ）同掃除機本体に収納される集塵装置の上流フィルターヒンジ部断面図（係止部ロックの状態、下流フィルターは図示せず）（ｄ）同掃除機本体に収納される集塵装置の上流フィルターヒンジ部断面図（係止部解除の状態下流フィルターは図示せず）
【図７】（ａ）同掃除機本体に収納される集塵装置の上流フィルター固定部断面図（係止部ロックの状態、下流フィルターは図示せず）（ｂ）前記の仮固定部断面の拡大図
【図８】（ａ）同掃除機本体に収納される集塵装置のごみ捨て時の状態での斜視図（ｂ）同掃除機本体に収納される集塵装置の下流フィルターお手入れ時の斜視図
【符号の説明】
【００２２】
１      電気掃除機本体
２      ホース
３      接続パイプ
４      延長管
５      吸込具
６      電動送風機
７      集塵装置
８      集塵ケース
８ａ    ヒンジ固定部
８ｂ    集塵部
８ｃ    二重壁
８ｄ    持ち手部
８ｅ    吸入口
８ｆ    開口部
９      上流フィルター
９ａ    枠体
９ｂ    ネットフィルター
９ｃ    シールパッキン
９ｄ    バネ収納部
９ｅ    スリット
９ｆ    ヒンジ部
９ｇ    上流フィルター固定用被係止部（係止部）
９ｈ    被当接部
１０    下流フィルター
１０ａ  被係止部（尾錠）
１０ｂ  レール部
１０ｃ  シールパッキン
１０ｄ  押さえリブ
１１    係止部（尾錠）
１２    操作部品
１２ａ  アーム部
１２ｂ  操作部
１２ｃ  当接部
１２ｄ  上流フィルター固定用係止部（係止部）
１３    ジョジンレバー
１４    ホルダー
１５    バネ（弾性体）
【図１】
2010035788.tif 000003
【図２】
2010035788.tif 000004
【図３】
2010035788.tif 000005
【図４】
2010035788.tif 000006
【図５】
2010035788.tif 000007
【図６】
2010035788.tif 000008
【図７】
2010035788.tif 000009
【図８】
2010035788.tif 000010